(57)【要約】【課題】細塵室に溜まった細塵が、気流によって舞い上げられ、フィルタに再付着することを防ぐことにより、吸込み力の低下を防ぐ電気掃除機を提供する。【解決手段】粗塵と空気とを分離する第１の塵埃分離手段３６と、第１の塵埃分離手段３６の下流に細塵と空気とを分離する第２の塵埃分離手段３７と、第２の塵埃分離手段３７の略下方に設けられ第２の塵埃分離手段３７により分離されたより細塵を溜める細塵室３２とを有し、細塵室３２上方に、細塵室３２への風の流れを妨げるように所定の隙間を空けた絞り部３３を設けた電気掃除機とすることにより、細塵室３６に溜まった細塵が舞い上がり、第２の塵埃分離手段３４（フィルタ）に再付着することを低減させ、第２の塵埃分離手段３４（フィルタ）の目詰まりによる吸込み性能の低下を防止することができる。【選択図】図２
2008264055.tif 000002
【特許請求の範囲】
【請求項１】
電動送風機を内包する本体と、前記電動送風機の上流側に設置され電動送風機により吸引した塵埃を含む空気を導入する集塵ケースと、この集塵ケース内の吸引経路に配置され吸引した塵埃を含む空気より粗塵を分離する第１の塵埃分離手段と、前記集塵ケースの本体部に着脱可能に設けられこの第１の塵埃分離手段を通過した塵埃を分離する第２の塵埃分離手段と、前記第２の塵埃分離手段の略下方になるよう前記集塵ケースの本体部に設けられた前記第２の塵埃分離手段で分離した細塵を溜める細塵室と、前記細塵室上方に、前記細塵室への風の流れを妨げるよう前記細塵室の開口部の隙間を設定する絞り部とを有し、前記絞り部は、前記細塵室の上流側から内側下方に向いた傾斜部で形成することで、前記隙間を前記細塵室の下流側に設定した電気掃除機。
【請求項２】
絞り部の対向側に、細塵室の下流側から内側下方に向いた傾斜部で形成した第２絞り部を追加して設けた請求項１に記載の電気掃除機。
【請求項３】
第２絞り部の端部を、絞り部の端部より下方でかつ、絞り部の端部とオーバーラップするよう互い違いとした請求項２に記載の電気掃除機。
【請求項４】
細塵室の近傍に、第１の塵埃分離手段と第２の塵埃分離手段との間の流路の一部を塞ぐ舞い上げ気流防止板を設けた請求項１から３のいずれか１項に記載の電気掃除機。
【発明の詳細な説明】
【技術分野】
【０００１】
本発明は、ゴミと空気を分離するフィルタなどの塵埃分離手段を有する電気掃除機に関するものである。
【背景技術】
【０００２】
従来、この種の電気掃除機は、図６に示すように、本体より取り外し自在な集塵ケース１１内に、塵埃と空気の慣性力の違いを利用して粗塵と空気とを分離する円錐形状の第１の塵埃分離手段１２と、第１の塵埃分離手段により分離された粗塵を溜めておく集塵室１３と、第１の塵埃分離手段１２および集塵室１３の下流に、細塵と空気とを分離するプリーツフィルタなどで構成される第２の塵埃分離手段１４と、第２の塵埃分離手段１４の下方に、第２の塵埃分離手段１４により分離された細塵を溜める細塵室１５とを有し、集塵室１３の後壁と隙間ａ１６をあけた位置まで、第２の塵埃分離手段１４の枠体から突出部１７を設けているものである（例えば、特許文献１参照）。
【０００３】
上記構成において、塵埃を含む空気は、円錐形状の第１の塵埃分離手段１２によって、粗塵を含む空気（矢印Ｃ）と細塵を含む空気（矢印Ｄ）とに分離される。これは、粗塵は自身の持つ慣性力により直進し、細塵は円錐の周方向に回転しながら第１の塵埃分離手段１２の外側に吐き出されるものである。そして、粗塵を含む空気Ｃは集塵室１３に導かれ、粗塵はそのまま集塵室１３に、空気は集塵室１３の上部に設けられた開口部１８より出て、細塵を含む空気Ｄとともに第２の塵埃分離手段１４へ導かれる（矢印Ｅ）。この第２の塵埃分離手段１４によって細塵を取り除き下流へと通過させる。この際、第２の塵埃分離手段１４に付着、堆積した細塵は、除塵手段（図示せず）を動作させることによって、集塵室１３の後壁１９と突出部１７との間の隙間ａ１６を通って細塵室１５に落ちていく。
【０００４】
ここで、突出部１７を、集塵室１３の後壁と比較的狭い隙間ａ１６を空けて配設することで、第１の塵埃分離手段１２を通過した気流（矢印Ｄ）および集塵室１３の上部に設けられた開口部１８より出た気流（矢印Ｅ）によって生じる乱流の影響が、細塵室１５内に及びにくくなることにより、細塵室１５に溜まった細塵が乱流によって舞い上げられ、第２の塵埃分離手段１４に再び付着することを防ぐ構成となっている。
【特許文献１】特開２００４−２１６００９号公報
【発明の開示】
【発明が解決しようとする課題】
【０００５】
しかしながら、前記従来の構成では、細塵室１５の下流側である第２の塵埃分離手段１４の枠体から突出部１７を設け、隙間ａ１６が、細塵室１５の上流側に設定されることとなる。そのため、除塵手段により第２の塵埃分離手段１４から落とされた細塵の多くは突出部１７の上に落ちるので、軽い細塵や湿り気のある細塵などは突出部１７の傾斜を滑り落ちずにそのまま突出部１７の上に乗ったままとなり、その細塵が次に掃除機を使用した際に風の流れによって舞い上げられ、第２の塵埃分離手段１４に再び付着してしまうこととなる。
【課題を解決するための手段】
【０００６】
前記従来の課題を解決するために、本発明の電気掃除機は、電動送風機を内包する本体と、前記電動送風機の上流側に設置され電動送風機により吸引した塵埃を含む空気を導入する集塵ケースと、この集塵ケース内の吸引経路に配置され吸引した塵埃を含む空気より粗塵を分離する第１の塵埃分離手段と、前記集塵ケースの本体部に着脱可能に設けられこの第１の塵埃分離手段を通過した塵埃を分離する第２の塵埃分離手段と、前記第２の塵埃分離手段の略下方になるよう前記集塵ケースの本体部に設けられた前記第２の塵埃分離手段で分離した細塵を溜める細塵室と、前記細塵室上方に、前記細塵室への風の流れを妨げるよう前記細塵室の開口部の隙間を設定する絞り部とを有し、前記絞り部は、前記細塵室の上流側から内側下方に向いた傾斜部で形成することで、前記隙間を前記細塵室の下流側に設定したことを特徴としたものである。
【０００７】
細塵室の下流側、すなわち、第２の塵埃分離手段寄りに隙間を設けることにより、第２の塵埃分離手段から除塵手段あるいは自重などで落ちた細塵を隙間を通して細塵室へ落とすことが可能となる。
【発明の効果】
【０００８】
本発明の電気掃除機は、細塵室に溜まった細塵が舞い上がり、フィルタに再付着することを低減させ、フィルタの目詰まりによる吸込み性能の低下を防止することができる。
【発明を実施するための最良の形態】
【０００９】
第１の発明は、絞り部を、細塵室の下流側、すなわち、第２の塵埃分離手段寄りに隙間部ができるように設けることにより、第２の塵埃分離手段から除塵手段あるいは自重などにより落ちた細塵を、隙間を通して細塵室へ落とすことができる。
【００１０】
第２の発明は、細塵室の下流側端部または下流側壁面から設けられた第２絞り部を追加することにより、絞り部と第２絞り部をそれぞれ短くすることが可能であるため、絞り部または第２絞り部の上に乗った細塵が細塵室へ落ちやすくなるので、その細塵が第２塵埃分離手段に再付着することを低減させることができる。
【００１１】
第３の発明は、絞り部と第２絞り部を互いにオーバーラップするよう互い違いとしたことにより、第１の塵埃分離手段を通過した気流や吸引経路上で発生した乱流の影響が細塵室内に及びにくくなるため、細塵室内に溜まった細塵が舞い上がり、第２塵埃分離手段に再付着することを低減させることができる。
【００１２】
第４の発明は、舞い上げ気流防止板を設けることにより、細塵室に空気の流れが流入するのをさらに防ぐことが可能となり、細塵室に溜まった細塵が舞い上がり、第２の塵埃分離手段に細塵が付着することをより低減させることができる。また、絞り部によって構成される細塵室への隙間を大きくすることで、固まった細塵などが細塵室への隙間を通らずに詰まってしまうことを防ぐ構成とした場合でも、舞い上げ気流防止板によって細塵室方向への空気の流れを阻害することにより、細塵室に溜まった細塵が舞い上がり第２塵埃分離手段に再付着することを低減することができる。
【００１３】
（実施の形態１）
図１は、本発明の第１の実施の形態における電気掃除機の全体図を示すものである。
【００１４】
図１に示すように、電気掃除機本体２０内には、吸引気流を発生させる電動送風機２１が内蔵されており、電動送風機２１の上流側には、電動送風機２１により吸引した塵埃を含む空気を導入する集塵ケース２２が電気掃除機本体２０に対して着脱自在に設置されている。さらに、電気掃除機本体２０には、吸引ホース２３、延長管２４が順次接続されており、延長管２４の先端に吸込具２５を取り付けており、電動送風機２１を運転することにより、家屋内の床面上の塵埃を吸引することができる。
【００１５】
集塵ケース２２を本体２０の横方向から見た構成を示す側断面図を図２に示す。
【００１６】
集塵ケース２２は、流入口３１と細塵室３２と絞り部３３と舞い上げ気流防止板３４とを有する集塵ケース本体部３５と、第１の塵埃分離手段３６と、第２の塵埃分離手段３７とで構成され、図３（ａ）、（ｂ）に示すように、集塵ケース本体部３５に第２の塵埃分離手段３７が着脱自在に取り付けられるよう構成されている。このことにより、第２の塵埃分離手段３７を集塵ケース本体部３５から分離することにより、塵埃ケース本体部３６内部や第２の塵埃分離手段３７をお手入れすることが可能となっている。
【００１７】
第１の塵埃分離手段３６には、網目状のフィルタ３８が備えられ、このフィルタ３８のろ過作用によって粗塵と空気とを分離している。第２の塵埃分離手段３７は、目の細かいプリーツフィルタなどで構成され、第１の塵埃分離手段３６を通過した細塵と空気とを、同じくろ過作用によって分離する。
【００１８】
ここで、図２に示すように第１の塵埃分離手段３６の下流側の壁面に設けられたフィルタ３８は第１の塵埃分離手段３６の下端部から距離ｔ１０１だけ高い位置から設けられている。なお、本実施の形態では、第１の塵埃分離手段３６および第２の塵埃分離手段３７は、ろ過作用によって塵埃と空気とを分離する構成としているが、例えば、遠心力作用によって分離するサイクロン方式や、塵埃と空気の慣性力の違いを利用する慣性分離方式など他の分離手段を用いても良い。
【００１９】
細塵室３２は、第２の塵埃分離手段３７を集塵ケース本体部３５に取付けた際に、第２の塵埃分離手段３７の略下方に位置するよう設けられており、電気掃除機を使用中に第２の塵埃分離手段３７に付着した細塵が、電気掃除機使用後に細塵自身の重力あるいは第２の塵埃分離手段をたたくなどして付着した細塵を落とす除塵手段（図示せず）によって落されたものを溜めておく構成となっている。
【００２０】
さらに、図２に示すように細塵室３２の上方には、細塵室３２への空気の流れを妨げる絞り部３３が、細塵室３２の上流側壁面３９から隙間ｆ１０２だけ距離を空けた位置まで、絞り部３３の上に乗った細塵が細塵室３２へ滑り落ちるような傾斜をつけて設けられている。なお、本実施の形態では、図４（ａ）に示すように、絞り部３３を、細塵室３２の上流側壁面３９から下方に傾斜するよう設け、隙間ｆ１０２を細塵室３２の下流側に設定する構成としたが、図４（ｂ）に示すように、前記絞り部３３に加え、細塵室３２下流側端部４０から下方に傾斜する第２絞り部４１を設ける構成としてもよい。また、図４（ｃ）に示すように、第２絞り部４１を、細塵室３２の下流側壁面４２から、絞り部３３とオーバーラップするよう互い違いに設ける構成としても良い。いずれの場合でも、絞り部３３の上に乗った細塵が細塵室３２へ滑り落ちるような傾斜をつけること、細塵室３２へ細塵が入り込む隙間を空けておくことを満たせば同様の効果を得ることができる。
【００２１】
また、細塵室３２は図３（ａ）に示すように仕切り板４３によって複数の部屋に分かれている。同様に、第２の塵埃分離手段３７下部にも図３（ｂ）に示すように、仕切りリブ４４が設けられ、第２の塵埃分離手段３７を集塵ケース本体部３５に取付けた際に、仕切り板４３と仕切りリブ４４が同じ位置に合わさり、それぞれの部屋をまたがった気流Ｇ１が生じにくい構成としている。なお、細塵室３２の下、すなわち仕切り板４３の下部の隙間を流れる気流Ｇ２に対しては、仕切り板４３の下部に隙間ができないようにシールすることで、それぞれの部屋をまたがった気流Ｇ２が生じにくい構成としている。
【００２２】
そして、細塵室３２の上流に、第１の塵埃分離手段３６と第２の塵埃分離手段３７との間の流路の一部を塞ぐ舞い上げ気流防止板３４が細塵室３２の上流側壁面３９を延長する形で設けられている。
【００２３】
以上のように構成された電気掃除機について、以下その動作、作用を説明する。
【００２４】
電動送風機２１を運転開始すると、吸込み気流が発生し、吸込具２５、延長管２４、吸引ホース２３を通じて、床面からの塵埃が集塵ケース２２内に吸い込まれる。
【００２５】
集塵ケース２２内に入った塵埃と空気は、まず、第１の塵埃分離手段３６によって粗塵と空気とに分離される。これは、粗塵は、第１塵埃分離手段３３に備えられた網目状のフィルタ３８を通過できないろ過作用によるものである。
【００２６】
第１の塵埃分離手段３６によって分離された粗塵は、そのまま第１の塵埃分離手段３６内の集塵室４５に溜めておく構成となっている。このように、第１の塵埃分離手段３６内の空間を、粗塵を溜めておく集塵室４５として用いることにより、装置の小型化を図ることができるとともに、第１の塵埃分離手段３６から集塵室４５への粗塵の移送手段が不要となるため、構成を単純化することができる。
【００２７】
次に舞い上げ気流防止板３４について説明する。
【００２８】
第１の塵埃分離手段３６を通過した細塵と空気は、図２の矢印Ｈのように舞い上げ気流防止板３４によって上方に変向される。また、第１の塵埃分離手段３６上部に設けられたフィルタ３８ｂを通過した細塵と空気は、図２の矢印Ｉのように、矢印Ｈの流れによって、上方に変向される。このように、空気の流れを細塵室３２から遠ざけることによって、細塵室３２の高さ方向の距離を大きく設定し空気の流れから遠ざける構成をとる必要が無いため、装置の小型化を実現することができる。
【００２９】
図２に示すように、舞い上げ気流防止板３４は、第１の塵埃分離手段３６のフィルタ３８ｃの上端よりも距離ｊ１０３だけ高い位置まで設けられている。このことにより、第１の塵埃分離手段の下流側の面のフィルタ３８ｃを通った全ての気流が舞い上げ気流防止板３４によって上方に変向するため、舞い上げ気流防止板３４上端部で巻き込むように下向きに発生する乱流の影響が細塵室３２まで及びにくいので、細塵室３２内に溜まった細塵が舞い上がることを低減させることができる。なお、細塵室３２が空気の流れと十分に離れた位置に設けられている場合は、舞い上げ気流防止板３４をフィルタ３８の上端と同じ高さになるよう設けても良い。
【００３０】
また、逆に、舞い上げ気流防止板３４を、図５に示すように、第１の塵埃分離手段３６のフィルタ３８ｃの上端よりも距離ｋ１０４だけ低い位置まで設ける構成としても良い。この場合でも、矢印Ｍで示す舞い上げ気流防止板３４により上方へ変向した風によって、矢印Ｌで示すようにフィルタ３８の上の方を通った風の流れも上方に変向されるため、舞い上げ気流防止板３４を第１の塵埃分離手段３６のフィルタ３８ｃの上端よりも高い位置まで設ける構成とした場合よりは効果は低下するものの、細塵室３２が空気の流れから十分に離れていれば、乱流の影響が細塵室３２に及びにくいので、細塵室３２内に溜まった細塵の舞い上がりを防止することが可能である。
【００３１】
さらに、図５に示すように舞い上げ気流防止板３４をフィルタ３８ｃの上端よりも低い高さになるよう設けた場合には、舞い上げ気流防止板３４に風が当たることによる圧損を低減させることや、舞い上げ気流防止板３４上部の空間を確保することにより圧損を低減させることなどの効果を得ることができる。
【００３２】
また、仮に、舞い上げ気流防止板３４を用いずに、集塵室４５の第２の塵埃分離手段３７側のフィルタ３８ｃを壁面とし、集塵ケース２２内を流れる気流や集塵ケース２２内で発生する乱流から細塵室３２を遠ざけることで細塵室３２内に溜まった細塵の舞い上がりを低減させようとすると、フィルタ３８は、第１の塵埃分離手段３６の上方面のフィルタ３８ｂしか設けることができず、圧損が高くなり、電気掃除機の吸込み力が弱くなってしまう。
【００３３】
これは、第１の塵埃分離手段３６の側面や上流側の面にフィルタ３８ａを設けると、第１の塵埃分離手段３６の側面を通って細塵室３２に風が流れ込んでしまい、細塵が舞い上がって第２の塵埃分離手段３７に付着してしまうからである。
【００３４】
また、集塵室４５内の粗塵が使用時に舞い上がってフィルタ３８に付着するため、フィルタ３８が上方面のみに設けられている場合、すぐにフィルタ３８が塞がってしまい、こまめな手入れを必要としてしまうという課題も生じる。
【００３５】
しかし、本発明のように、舞い上げ気流防止板３４によって、細塵室３２内に溜まった細塵が第２の塵埃分離手段３７に付着することを防ぐ構成とする場合、フィルタ３８を第１の塵埃分離手段３６の上方のみに設ける構成とする必要が無く、フィルタ３８を第１の塵埃分離手段の上流側の面、下流側の面、側面にも設ける構成としても、舞い上げ気流防止板３４によって上方に気流が変向されるため、集塵ケース２２内を流れる気流や集塵ケース２２内で発生する乱流を細塵室３２から遠ざけられるので、細塵室３２内に溜まった細塵の舞い上がり低減効果を得ることができる。
【００３６】
そのため、フィルタ３８の総面積を広く取ることが可能であるため、圧損を低減できる。さらに、本実施の形態のように第１の塵埃分離手段３６内の空間を集塵室４５とする構成としても、フィルタ３８の総面積が大きいため、集塵室４５に溜まった粗塵が舞い上がってフィルタ３８の一部を塞いでしまっても、塞がってない部分を風が流れることができるため、圧損が大幅に増えて電気掃除機の吸込み力が急激に低下することを回避することができる。
【００３７】
そして、第１の塵埃分離手段３６では分離し切れなかった細塵を含んだ空気は、プリーツフィルタで構成された第２の塵埃分離手段３７によって、細塵と空気とに分離される。これは、第１の塵埃分離手段３６と同様に、プリーツフィルタに細塵が引っかかり、空気のみが通過するろ過作用によるものである。そして、第２の塵埃分離手段３７を通過した空気が電動送風機２５に吸込まれる構成になっている。
【００３８】
ここで、図２に示すように、舞い上げ気流防止板３４の上端部を、第２の塵埃分離手段３７の下端よりも距離ｎ１０５だけ高い位置まで設けることにより、風の流れが矢印Ｐのように、舞い上げ気流防止板３４を超えて下方向に広がっても、第２の塵埃分離手段３７の下の空間に当たることなく、第２の塵埃分離手段であるプリーツフィルタ３４を風が通過するため、細塵室３２への風の流入を防ぐことができる。
【００３９】
なお、圧損をできるだけ低減させることを目的とした場合は、図５に示すように、舞い上げ気流防止板３４を第２の塵埃分離手段３７よりも距離ｑ１０６だけ低い高さ、あるいは、第２の塵埃分離手段３７と同じ高さまで設ける構成としても良い。
【００４０】
この場合でも、舞い上げ気流防止板３４により、空気の流れが上方向に押し上げられているため、図５の矢印Ｌで示すように、第２の塵埃分離手段３７の下部壁面にぶつかる気流が少ないこと、さらにぶつかった気流のほとんどが矢印Ｒのように、第２の塵埃分離手段３７へ吸込まれていくため、図２に示すように、舞い上げ気流防止板３４を第２の塵埃分離手段３７の下端よりも高い位置まで構成した場合ほどではないが、舞い上がり低減効果を得つつ、圧損を低減することができる。
【００４１】
なお、本実施の形態のように、細塵室３２の上部に絞り部３３を設ける構成とした場合、図５に示すように舞い上げ気流防止板３４を第２の塵埃分離手段３７の下端よりも低い位置までしか設けない場合でも、細塵室３２に気流が流れ込みにくくなるため、細塵室３２に溜まった細塵の舞い上がりによる第２の塵埃分離手段３７への細塵の再付着を防止することができる。
【００４２】
次に、電動送風機２１の運転を停止すると、電気掃除機は塵埃の吸い込みを停止する。そして、第２の塵埃分離手段３７に付着した細塵は、重力、あるいは除塵手段（図示せず）によって、第２の塵埃分離手段３７の下方に設けられた細塵室３２に落下し、細塵室３２に溜められていく。ここで、図２に示すように、絞り部３３を細塵室３２の上流側壁面３９から設け、隙間ｆ１０２を細塵室３２の下流側に設定することにより、第２の塵埃分離手段３７から落ちる細塵の多くを隙間ｆ１０２を通して細塵室３２へ落とすことができる。
【００４３】
また、絞り部３３の上に落ちた細塵は、絞り部３３に設けられた傾斜を滑り落ちて、細塵室３２内に入る構成となっている。このように、第２の塵埃分離手段３７から落ちた細塵の多くを隙間ｆ１０２を通して細塵室３２へ落とすことにより、軽い細塵や湿った細塵など傾斜を滑り落ちにくい細塵が、絞り部３６の上に堆積してしまうのを避けることができる。
【００４４】
さらに、前述したように、舞い上げ気流防止板３４により、細塵室３２底面方向へ気流が流れにくくしているため、隙間ｆ１０２を大きめに設けても、細塵室３２に溜まった細塵の舞い上がりが生じにくい。そのため、隙間ｆ１０２に細塵が詰まって細塵室３２へ細塵が入らなくなるのを防ぐことができる。
【００４５】
なお、細塵室３２の深さが浅い場合など、絞り部３３の傾斜角度を大きく取れないことにより、絞り部３３の上に乗った細塵が細塵室３２まで滑り落ちきらずに、絞り部３３の上に堆積してしまうような場合は、図４（ｂ）に示すように、細塵室３２下流側端部４０から第２絞り部４１を追加する構成としても良い。
【００４６】
第２絞り部４１を追加することにより、絞り部３３および第２絞り部４１の長さを短くしても、図４（ａ）に示す絞り部３３と同様の隙間ｆ１０２を設定することが可能である。
【００４７】
絞り部３３および第２絞り部４１の長さを短くできるため、細塵室３２の深さが浅くても傾斜角度を深くできるとともに、絞り部３３の上に堆積しにくくなるため、絞り部３３および第２絞り部４１の上に細塵が滑り落ちずに堆積し、その細塵が舞い上がってしまう問題を低減することができる。
【００４８】
なお、本字実施の形態では、図４（ｂ）に示すように、第２絞り部４１を細塵室３２の下流側端部４０から設ける構成としたが、細塵室３２の下流側壁面４２から設けても良いものである。
【００４９】
そして、再び電動送風機２１の運転を開始すると、再び集塵ケース２２内に気流が発生する。この気流が細塵室３２に流れ込んだり、この気流によって発生する乱流の影響が細塵室３２にまで及んだりすると、細塵室３２内に溜まった細塵が舞い上げられ、第２の塵埃分離手段３７に付着してしまう。そのため、第２の塵埃分離手段３７が目詰まりを起こしてしまい、圧損が増加することによって、電気掃除機の吸込み力が低下してしまう。しかし、本実施の形態では、舞い上げ気流防止板３４や絞り部３３によって集塵ケース２２内を流れる気流や集塵ケース２２内で発生する乱流の影響が細塵室３２内まで及びにくいので、細塵室３２内に溜まった細塵の舞い上がりが生じにくいため、電気掃除機の吸い込み力低下が起こりにくい。
【００５０】
なお、図４（ｃ）に示すように絞り部３３と第２絞り部４１を互い違いに設けることにより、集塵ケース２２内を流れる気流や集塵ケース２２内で発生する乱流の影響を、細塵室３２内により及ぼしにくくすることができるので、細塵室３２内に溜まった細塵の舞い上がり防止効果を高めることができる。なお、本実施の形態では、図４（ｃ）に示すように第２絞り部４１を下流側壁面４２から設ける構成としたが、第２絞り部４１を下流側端部４０から設けても良い。
【００５１】
また、本実施の形態では、絞り部３３や舞い上げ気流防止板３４以外にも、細塵室３２の細塵が舞い上がり、第２の塵埃分離手段に付着することを防止する細塵舞い上がり防止対策が設けられている。
【００５２】
集塵ケース２２内の気圧は場所によって異なっているため、その気圧差によって、図３（ａ）の矢印Ｇ１、Ｇ２のように、電気掃除機本体２０から見て横方向の気流の流れも発生する。この横方向の気流の流れも細塵室３２内の細塵を舞い上がらせる原因となるため、これらを防ぐ対策が必要となる。
【００５３】
まず、細塵室３２の上を横方向に流れる気流Ｇ１に対しては、前述したように第２の塵埃分離手段３７を集塵ケース本体部３５に取付けた際に、細塵室３２に設けられた仕切り板４３と、第２の塵埃分離手段３７の下部に設けられた仕切りリブ４４が同じ位置に合わさる構成とすることで、それぞれの部屋をまたがった気流Ｇ１が生じないようにしている。
【００５４】
次に、細塵室３２の下、すなわち仕切り板４３の下部の隙間を流れる気流Ｇ２に対しては、細塵室３２の底を構成する後述する廃棄扉４６に、ゴム製のシート４８を備えさせ、仕切り板４３の下部に隙間ができないようにシールすることで、それぞれの部屋をまたがった気流Ｇ２が生じないようにしている。
【００５５】
なお、仕切り板４３によって区分けされた細塵室３２のそれぞれの部屋の幅が広すぎると、区分けされたそれぞれの部屋の中で気圧の差が生じてしまい、横方向の風によって細塵が舞い上がるという問題が生じてしまうため、仕切り板４３によって区分けされる細塵室３２のそれぞれの部屋の幅は４０ｍｍ以下、より好ましくは２０ｍｍ以下にすると良い。また、逆に狭すぎると糸くずなどが細塵室３２内に落ちずに引っかかる可能性があるため、細塵室３２のそれぞれの部屋の幅は５ｍｍ以上にすると良い。
【００５６】
そして、集塵室４５や細塵室３２に塵埃が溜まったら、使用者が集塵ケース２２を掃除機本体２０から取り出して、集塵ケース２２底部を構成する廃棄扉４６を開くことによって、集塵室４５と細塵室３２の底部が開放され、それぞれの室に溜まった塵埃を廃棄する構成となっている。
【００５７】
ここで、第１の塵埃分離手段３６と、舞い上げ気流防止板３４および細塵室３２の上流側壁面３９と、廃棄扉４６とで囲まれた空間を、第２細塵室４７として利用し、第２の塵埃分離手段３７に付着していた細塵が除塵手段によって勢い良く落とされた場合、この第２細塵室４７に落ちる構成とし、廃棄扉４６を開くことによって、集塵室４５、細塵室３２に溜まった細塵とともに廃棄される構成としても良い。その場合、本実施の形態のように、第１の塵埃分離手段３６の下流側の壁面に設けられたフィルタ３８が、第１の塵埃分離手段３６の下端部から距離ｔ１０１だけ高い位置から設ける構成とし、気流Ｈが第２細塵室４７内に溜まった細塵の上部空間を流れるようにすることで、第２細塵室４７内に溜まった細塵が気流Ｈによって舞い上がるのを低減させると良い。
【００５８】
このような構成は、圧損低減対策として、図５に示すように舞い上げ気流防止板３４を第１の塵埃分離手段３６よりも距離ｋ１０４低い高さとした場合やあるいは第２の塵埃分離手段３７よりも距離ｑ１０６低い高さとした場合など、舞い上げ気流防止板３４を飛び越えて細塵が第１の塵埃分離手段３６と舞い上げ気流防止板３４との間に入り込みやすい構成とした場合でも、第２細塵室４７内に溜まった細塵が舞い上がりにくいため特に有効である。
【００５９】
また、絞り部３３を不透明部材で構成した場合、細塵室３２に細塵が溜まっているかどうかが使用者にわかりにくくなってしまうため、絞り部３３はアクリルやポリカなどの透明部材で構成することが望ましい。このことにより、使用者に細塵室３２に細塵が溜まっていることを認識してもらいやすくなり、ごみすてを使用者に促すことで細塵室３２に細塵が大量に溜まることを防ぐことが可能であり、舞い上がり防止効果を高めることができる。
【００６０】
以上のように、本実施の形態では、舞い上げ気流防止板３４や絞り部３３によって集塵ケース２２内を流れる気流や集塵ケース２２内で発生する乱流の影響が細塵室３２内まで及びにくくすることで、細塵室３２内に溜まった細塵の舞い上がりが生じにくいため、細塵が細塵が第２の塵埃分離手段３７に再付着して、第２の塵埃分離手段３７が目詰まりを起こしてしまい、圧損が増加することによって、電気掃除機の吸込み力が低下するという問題を防ぐことができる。
【００６１】
なお、本実施の形態では、絞り部３３および第２絞り部４１は傾斜部のみで構成されているが、絞り部３３および第２絞り部４１の全ての部分が傾斜している必要は必ずしもなく、一部のみが傾斜する構成としても良い。
【産業上の利用可能性】
【００６２】
以上のように、本発明にかかる電気掃除機は、集塵ケース内の細塵室に溜まった細塵の舞い上がりによるフィルタ再付着を低減させ、フィルタの目詰まりによる吸込み性能が低下しにくい電気掃除機を提供することができるので、家庭用電気掃除機だけでなく、業務用電気掃除機などさまざまな種類の掃除機に使用することが可能となる。
【図面の簡単な説明】
【００６３】
【図１】本発明の実施の形態１における電気掃除機の全体図
【図２】同電気掃除機の集塵ケースの構成を示す側断面図
【図３】（ａ）同電気掃除機の集塵ケースの構成を示す背面斜視図（ｂ）同電気掃除機の第２の塵埃分離手段の斜視図
【図４】（ａ）同電気掃除機の集塵ケースの絞り部構成を示す要部断面図（ｂ）同電気掃除機の別形態の集塵ケースの絞り部構成を示す要部断面図（ｃ）同電気掃除機の別形態の集塵ケースの絞り部構成を示す要部断面図
【図５】同電気掃除機の別形態の集塵ケースの構成を示す側断面図
【図６】従来の電気掃除機の集塵ケースの構成を示す側断面図
【符号の説明】
【００６４】
２０  電気掃除機本体
２１  電動送風機
２２  集塵ケース
３２  細塵室
３３  絞り部
３４  舞い上げ気流防止板
３５  集塵ケース本体部
３６  第１の塵埃分離手段
３７  第２の塵埃分離手段
３９  細塵室上流側壁面
４０  細塵室下流側端部
４１  第２絞り部
４２  細塵室下流側壁面
１０２  隙間
【図１】
2008264055.tif 000003
【図２】
2008264055.tif 000004
【図３】
2008264055.tif 000005
【図４】
2008264055.tif 000006
【図５】
2008264055.tif 000007
【図６】
2008264055.tif 000008